(57)【特許請求の範囲】
【請求項１】
透明な樹脂で構成された蓋部材及び底部材により構成される収納ケースにおいて、
該収納ケースに付与されたＩＤを分割又は該ＩＤをコード化して分割することで生成されるＩＤ分割情報を前記蓋部材及び底部材が重なる重合部に各々記し、
前記蓋部材及び底部材を組み合わせた際に前記重合部を確認することにより、前記蓋部材及び底部材が適切な組み合わせであるか否かを識別可能とし、
前記ＩＤ分割情報は、前記蓋部材及び底部材を組み合わせた際に対向する面にそれぞれ記し、
前記ＩＤ分割情報は、バーコード又は二次元コードの状態で記されたことを特徴とする収納ケース。
【請求項２】
透明な樹脂で構成された蓋部材及び底部材により構成される収納ケースにおいて、
該収納ケースに付与されたＩＤを分割又は該ＩＤをコード化して分割することで生成されるＩＤ分割情報を前記蓋部材及び底部材が重なる重合部に各々記し、
前記蓋部材及び底部材を組み合わせた際に前記重合部を確認することにより、前記蓋部材及び底部材が適切な組み合わせであるか否かを識別可能とし、
前記ＩＤ分割情報は、前記蓋部材及び底部材を組み合わせた際に対向する面にそれぞれ記し、
前記蓋部材及び底部材を正確に組み合わせるために、前記蓋部材及び底部材に各々目印を設けたことを特徴とする収納ケース。
【発明の詳細な説明】
【技術分野】
【０００１】
本発明は、ＩＤが付与される収納ケースに関するものである。
【背景技術】
【０００２】
収納ケースは、収納するものによって構造が様々である。
例えば、遊戯用器具の弾球遊技機や回胴式遊技機などでは、制御基板を収納した収納ケース製造会社（又は警察関係者）以外が開けることが好適でないものもある。
収納ケースに制御基板を収納しており、制御基板の中でも遊技機の制御を司る主制御基板については不正行為（基板交換、ＲＯＭ交換など）が行われないように封止部材により封止する構成としている。
【０００３】
この封止部材は、遊技機単体で考案されたものであり、収納ケースの少なくとも一部を破壊しない限り開封することができない構成となっており、不正行為が行われても点検等の際に開封を容易に発見できるという発明もなされている。
また、上記した封止部材を含む収納ケースに破壊の痕跡が認められない場合、開封されていない、即ち、不正行為が行われていないと判断することが可能であった。
【先行技術文献】
【特許文献】
【０００４】
【特許文献１】特許第２６３０６８０号公報
【特許文献２】特許第２８９５８２９号公報
【特許文献３】特許第３０３３９５７号公報
【発明の概要】
【発明が解決しようとする課題】
【０００５】
近年、同じ種類の収納ケースが設けられている他の遊技機を含む、２台以上の遊技機がある場合には、収納ケースＡの蓋部材を破壊して開封し、収納ケースＢの底部材を破壊して開封すると、無傷で取り外した収納ケースＡの底部材と収納ケースＢの蓋部材とを組み合わせることで無傷の収納ケースを構成することが可能であることが問題となっている。
【０００６】
そこで、同じ種類の収納ケースが複数あっても、無傷の収納ケースを構成することができない収納ケースを提供することを課題とする。
【課題を解決するための手段】
【０００７】
請求項１記載の収納ケースは、透明な樹脂で構成された蓋部材及び底部材により構成される収納ケースにおいて、
該収納ケースに付与されたＩＤを分割又は該ＩＤをコード化して分割することで生成されるＩＤ分割情報を前記蓋部材及び底部材が重なる重合部に各々記し、
前記蓋部材及び底部材を組み合わせた際に前記重合部を確認することにより、前記蓋部材及び底部材が適切な組み合わせであるか否かを識別可能とし、
前記ＩＤ分割情報は、前記蓋部材及び底部材を組み合わせた際に対向する面にそれぞれ記し、
前記ＩＤ分割情報は、バーコード又は二次元コードの状態で記されたことを特徴とする
【０００８】
ここで、「記し」とは、印刷、刻印などを含み、ＩＤ分割情報が確認可能な状態であれば何ら差し支えない。
また、「確認」とは、人間による目視や機器（リーダー）による取り込みなどによる確認を指している。
【０００９】
請求項２記載の収納ケースは、透明な樹脂で構成された蓋部材及び底部材により構成される収納ケースにおいて、
該収納ケースに付与されたＩＤを分割又は該ＩＤをコード化して分割することで生成されるＩＤ分割情報を前記蓋部材及び底部材が重なる重合部に各々記し、
前記蓋部材及び底部材を組み合わせた際に前記重合部を確認することにより、前記蓋部材及び底部材が適切な組み合わせであるか否かを識別可能とし、
前記ＩＤ分割情報は、前記蓋部材及び底部材を組み合わせた際に対向する面にそれぞれ記し、
前記蓋部材及び底部材を正確に組み合わせるために、前記蓋部材及び底部材に各々目印を設けたことを特徴とする。
【発明の効果】
【００１０】
請求項１記載の収納ケースによれば、透明な樹脂で構成された蓋部材と底部材とを組み合わせて収納ケースとした際に蓋部材と底部材とが重なる重合部に各々ＩＤ分割情報を記す構成としたことで、収納ケースの外側から目視した際に、ＩＤ分割情報が重なることでＩＤ又はＩＤをコード化したものとなるので、目視又は機器を用いて適切な組み合わせであるか否かを識別することができる。
また、ＩＤ分割情報を蓋部材と底部材を組み合わせた際の対向する面に記（印刷）したので、蓋部材の印刷と底部材の印刷との距離を小さくし、距離が離れることにより視認可能な角度が限定的になることを防止し、ＩＤ分割情報同士の一体化を促すことができる。
更に、前記ＩＤ分割情報は、バーコード又は二次元コードの状態で記されているので、不正を行う者に対して収納ケースのＩＤを一見して判別できなくすることが可能となり、機器を使うことで目視で起りうる見間違いや勘違いを防止することができる。
【００１１】
請求項２に記載の収納ケースによれば、透明な樹脂で構成された蓋部材と底部材とを組み合わせて収納ケースとした際に蓋部材と底部材とが重なる重合部に各々ＩＤ分割情報を記す構成としたことで、収納ケースの外側から目視した際に、ＩＤ分割情報が重なることでＩＤ又はＩＤをコード化したものとなるので、目視又は機器を用いて適切な組み合わせであるか否かを識別することができる。
また、ＩＤ分割情報を蓋部材と底部材を組み合わせた際の対向する面に記（印刷）したので、蓋部材の印刷と底部材の印刷との距離を小さくし、距離が離れることにより視認可能な角度が限定的になることを防止し、ＩＤ分割情報同士の一体化を促すことができる。
更に、前記蓋部材及び底部材を正確に組み合わせるために、前記蓋部材及び底部材に各々目印を設けているので、蓋部材と底部材とを正確に組み合わせることが可能となる。
これにより、請求項１に記載の発明のように、ＩＤ分割情報をコード化した場合に専用機器（リーダー）を用いても読み取ることができない虞を未然に防止することができる。
【図面の簡単な説明】
【００１２】
【図１】実施例１に係る収納ケース１０の斜視図である。
【図２】実施例１に係る収納ケース１０の分解斜視図である。
【図３】実施例１に係る収納ケース１０の正面図である。
【図４】実施例１に係るＩＤ表示部１５、印刷部１５ａ、印刷部１５ｂを示す模式図である。
【図５】実施例２に係るＩＤ表示部１５、印刷部１５ａ、印刷部１５ｂを示す模式図である。
【発明を実施するための形態】
【００１３】
以下に本発明の好適な実施形態について図面を参照して説明する。尚、本発明の実施の形態は下記の実施例に何ら限定されるものではなく、本発明の技術的範囲に属する種々の形態を採り得ることができ、各実施例に記載された内容の相違部分を適宜組み合わせることが可能なことはいうまでもない。
【実施例１】
【００１４】
図１及び図２に従って、ぱちんこ機の裏側に設けられる収納ケース１０について説明する。
図１は収納ケース１０を構成する蓋部材１１と底部材１２とを組み合わせた状態を示す斜視図である。
図２は収納ケース１０を構成する部材を分解した状態の斜視図である。
【００１５】
収納ケース１０は、主制御基板１７の実装面を被覆して保護する蓋部材１１と、蓋部材１１の下方より主制御基板１７のハンダ面を被覆して保護する底部材１２と、収納ケースを封止して蓋部材１１と底部材１２とを取り外し不可能にするための封止部材１３と、封止部材１３を補強するための補強封止部材１４と、収納ケースのＩＤが表示されるＩＤ表示部１５が設けられている。
【００１６】
蓋部材１１には、底部材１２と重ねる際に底部材１２の係止爪１２ａが挿入される爪受け１１ａと、蓋部材１１と底部材１２とを重ねた後に係止方向にスライドさせた際に底部材１２の挿入孔１２ｂに挿入され、封止部材１３が設けられる縁に対して向き合う縁の強度を高める（浮き上がりを防止する）ための挿入片１１ｂが設けられている。
【００１７】
また、収納される主制御基板１７がどのようなものであるかを示す機種名シールを貼るためのシール貼付部１１ｃ、収納される主制御基板１７の管理番号が記載された基板管理シールを貼るためのシール貼付部１１ｄが設けられ、ぱちんこ機の裏側に固定するための固定部１６（固定孔１６ａ、固定ピン１６ｂ）も設けられている。
【００１８】
収納ケース１０を封止する際には、蓋部材１１に主制御基板１７をネジなどの止着部材を用いて固定した後、蓋側封止部１３ａの筒内に係止部材１３ｃを所定の順番で入れ、底部材１２の係止爪１２ａが蓋部材１１の爪受け１１ａに入る位置で蓋部材１１と底部材１２とを重ねる。
【００１９】
その後、係止方向にスライド（図面上では底部材１２を固定した状態で蓋部材１１を左上方向、又は蓋部材１１を固定した状態で底部材１２を右下方向にスライド）させる。
このとき、係止部材１３ｃの一部品として設けられるバネなどの弾性部材の作用で底側封止部１３ｂに入り込むことで封止される（係止部材１３ｃが蓋側封止部１３ａと底側封止部１３ｂの接平面を横断することで係止される）。
【００２０】
封止部材１３は、一般的には蓋部材１１又は底部材１２のいずれか一方を破壊すれば開封されるが、蓋部材１１又は底部材１２のいずれか一方ではなく、定められた方を破壊しないと蓋部材１１と底部材１２とを引き離すことができない構成とすることが望ましく、蓋部材１１及び底部材１２の両方を破壊しなければ開封しない構成とすることがより望ましい。
【００２１】
補強封止部材１４（蓋側補強部材１４ａ、底側補強部材１４ｂ）は、蓋部材１１と底部材１２とを構成する合成樹脂の強度などにより、封止部材１３による封止に不安がある場合に用いるものであり、封止部材１３による封止に問題がなくてもセキュリティーの向上になるために設けるように構成しても何ら差し支えない。
【００２２】
尚、収納ケース１０を構成する蓋部材１１、底部材１２、封止部材１３及び補強封止部材１４は、内部の主制御基板１７の様子を視認できるように透明な合成樹脂で形成されており、機種名シールや基板管理シールも内部の主制御基板１７の様子を視認できるように透明となっている。
【００２３】
ＩＤ表示部１５は、収納ケース１０を封止部材１３で封止した際に蓋部材１１と底部材１２とが重合する重合部であり、蓋部材１１の重合部には印刷部１５ａが、底部材１２の重合部には印刷部１５ｂが各々設けられている。
蓋部材１１及び底部材１２は透明な合成樹脂により形成されているため、印刷部１５ａと印刷部１５ｂの印刷が組み合わされることでＩＤ表示部１５から収納ケース１０に付与された好適なＩＤが視認可能となる。
【００２４】
重合部における蓋部材１１と底部材１２との位置関係は、外側の蓋部材１１と内側の底部材１２とが重合する構成としており、印刷部１５ａと印刷部１５ｂとの距離が離れることにより視認可能な角度が限定的になるのを懸念される。
そこで、蓋部材１１の印刷部１５ａは内側へ、底部材１２の印刷部１５ｂは外側へ各々設けることにより、対面する位置に印刷部１５ａ、１５ｂを配置することが可能となり、収納ケース１０に付与されたＩＤをＩＤ表示部１５の表示により容易に確認することを可能としている。
【００２５】
上記位置に印刷部１５ａ、１５ｂをもうけることで、蓋部材１１と底部材１２とをスライドさせた際にも印刷部１５ａ、１５ｂに摩擦力が作用することはなく、印刷が欠落（剥がれ）することはなく、好適である。
また、係止方向（係止するためにスライドさせる方向）と直行する平面に重合部（ＩＤ表示部１５）を設ける構成としているため、蓋部材１１と底部材１２との間に、形成時に生じる多少の誤差が生じていても、ＩＤ表示部ではＩＤを視認することが可能である。
【００２６】
尚、係止方向（係止するためにスライドさせる方向）と平行な平面に重合部（ＩＤ表示部１５）を設ける構成としても、何ら差し支えないが、蓋部材１１と底部材１２とを重ねた状態でスライドした際に生じる摩擦から印刷部１５ａ及び／又は印刷部１５ｂの印刷を保護するための透明な保護シールを貼るように構成することが望ましい。
また、蓋部材１１と底部材１２とを重ねた状態でスライドさせた際に印刷部１５ａ、１５ｂに摩擦が生じないように、印刷部１５ａ、１５ｂを蓋部材１１又は底部材１２の表面から凹んだ位置となるような構成や、印刷ではなく刻印とすることで、摩擦でＩＤの欠落が生じる可能性を低くすることができる。
【００２７】
続いて、図３及び図４に従って、ＩＤ表示部１５に付いて詳細に説明する。
図３（ａ）は収納ケース１０を、（ｂ）は蓋部材１１を、（ｃ）は底部材１２を、それぞれ封止部材１３側から見た際の正面図である。
図４（ａ）、（ｂ）は収納ケース１０の蓋部材１１と底部材１２とが好適な組み合わせの場合のＩＤ表示部１５を示し、図４（ｃ）は好適でない組み合わせの場合のＩＤ表示部１５を示している。
【００２８】
図３（ａ）のＩＤ表示部１５は、収納ケース１０のＩＤを表示する部分であり、蓋部材１１の印刷部１５ａに印刷されたＩＤ分割情報及び底部材１２の印刷部１５ｂに印刷されたＩＤ分割情報が組み合わされ、収納ケース１０を構成する透明の樹脂を透視して視認可能となる。
【００２９】
図３（ｂ）の印刷部１５ａには、蓋部材１１の内側にＩＤ分割情報が印刷されており、収納ケース１０を蓋部材１１及び底部材１２を組み合わせた状態（封止された状態）では、触れることができない部分に印刷されている。
図３（ｃ）の印刷部１５ｂには、底部材１２の外側にＩＤ分割情報が印刷されており、収納ケース１０を蓋部材１１及び底部材１２を組み合わせた状態（封止された状態）では、触れることができない部分に印刷されている。
【００３０】
図４（ａ）はＩＤ「ＤＢ３９２２５Ｚ」が付与された収納ケースのＩＤ表示部１５、印刷部１５ａ及び印刷部１５ｂを、図４（ｂ）はＩＤ「ＲＫＳ４６７８Ｗ」が付与された収納ケースのＩＤ表示部１５、印刷部１５ａ及び印刷部１５ｂを示している。
図４（ａ）、図４（ｂ）に示すように、蓋部材１１と底部材１２との組み合わせが好適であれば、印刷部１５ａに印刷されるＩＤ分割情報と、印刷部１５ｂに印刷されるＩＤ分割情報とが組み合わせられ、ＩＤ表示部１５で収納ケースに付与されたＩＤとして確認できる状態となる。
【００３１】
ここで、印刷部１５ａ、１５ｂの左下と右上には、重合位置を確認するための目印が設けられており、蓋部材１１と底部材１２とを組み付けた際に多少の誤差がある場合に、その具体によってＩＤを識別できない状態が生じることを想定して設けられている。
目印の形状が印刷部１５ａ及び１５ｂが重合した際に正しい形状（この例では３重○）で見えるときに、ＩＤ表示部１５の表示を確認すればＩＤを認識することができ、それ以外の状態のときには、正しい形状となるように誤差を調整する必要があることを示している。
【００３２】
ここでは、合位置を確認するための目印を印刷として構成したが、対面する凹凸を設けてることによって蓋部材１１と底部材１２とを組み合わせた際に自動的に位置が調整されるように構成（凹凸の状態で適切な位置であるか否かを判断できるように構成）しても良く、いかなる構成によってＩＤ表示部１５（印刷部１５ａ、１５ｂ）のズレの有無を確認又は調整するように構成しても何ら差し支えない。
【００３３】
図４（ｃ）の上段に示すＩＤ表示部１５のように、図４（ａ）の１５ａ（蓋部材１１）と図４（ｂ）の１５ｂ（底部材１２）とを組み合わせた場合はＩＤ表示部１５で収納ケースに付与されたＩＤとして確認ができない状態となる。
同様に、図４（ｃ）の下段に示すＩＤ表示部１５のように、図４（ａ）の１５ｂ（蓋部材１１）と図４（ｂ）の１５ａ（底部材１２）とを組み合わせた場合にもＩＤ表示部１５で収納ケースに付与されたＩＤとして確認ができない状態となる。
【００３４】
要するに、蓋部材１１と底部材１２との組み合わせが好適でなければ、ＩＤ表示部１５で収納ケースに付与されたＩＤとして確認ができない状態となる。
そのため、ＩＤ表示部１５の表示を目視にて確認することで、封止部材１３の破損していない場合であっても、収納ケース１０が開封されたか否かを判断することが可能となり、２つの収納ケースから１つの収納ケースを作ったことを確認することができる。
【００３５】
上述したように、収納ケース１０にＩＤを付与し、収納ケース１０を閉じた状態で印刷部１５ａと印刷部１５ｂとが重合する位置とした上で、そのＩＤを分割して蓋部材１１及び底部材１２の印刷部１５ａ及び１５ｂに印刷することで、収納ケース１０の表面から印刷部１５ａ及び１５ｂに印刷されたＩＤ分割情報が組み合わせられ、収納ケース１０に付与されたＩＤが復元されることになる。
【００３６】
ＩＤが復元されることにより、蓋部材１１と底部材１２との組み合わせが好適であるか否かを判断できると共に、蓋部材１１及び底部材１２（封止部材１３も含む）が破壊されていなくても、開封されたことを発見することができ、不正行為の早期発見に繋げることができる。
【００３７】
係止方向（係止するためにスライドさせる方向）と直行する平面に重合部（ＩＤ表示部１５）を設ける構成としているため、印刷部１５ａ及び／又は印刷部１５ｂには蓋部材１１と底部材１２とをスライドさせた際に生じる摩擦が作用することなく、ＩＤが欠落することはない。
また、係止方向（係止するためにスライドさせる方向）と平行な平面に重合部を設ける構成とする場合に比べて、蓋部材１１と底部材１２との間に多少の誤差が生じても、ＩＤ表示部１５に示されるＩＤを視認することは容易である。
【００３８】
また、印刷部１５ａと印刷部１５ｂを対面する位置としたため、印刷部１５ａと印刷部１５ｂとの間に蓋部材１１及び／又は底部材１２を構成する樹脂がないため、印刷部１５ａ、１５ｂ間の距離を小さくすることが可能であり、ＩＤを目視する際の角度などの規制を少なくし、目視を容易に行うことができる。
【実施例２】
【００３９】
実施例１では、収納ケース１０に付与されるＩＤを分解した上で、個々の数字又はアルファベットを縦方向に分割したが、分割方法はこの方法に限られるものではない。
実施例２では、印刷部１５ａ、印刷部１５ｂへ印刷するＩＤ分割情報のタイプを変更した場合について説明する。
【００４０】
図５（ａ）には、収納ケース１０に付与されるＩＤを分解した上で、個々の数字又はアルファベットを横方向に分割した際のＩＤ表示部１５、印刷部１５ａ、印刷部１５ｂを示している。
ＩＤとして数字のみの組み合わせ、アルファベットのみの組み合わせ、数字とアルファベットの組み合わせとして表示した場合には、収納ケース１０のＩＤ表示部１５を目視した際に読めるか否か、控えておいた収納ケースＩＤと一致しているか否かで判断が可能であり、大掛かりな機材等を用いることなく、判断が可能となる。
【００４１】
図５（ｂ）には、収納ケース１０に付与されるＩＤを表示するにあたって３行×１０列の３０個のマトリクス表示を用い、好適な蓋部材１１と底部材１２を組み合わせた際の収納ケース１０のＩＤ表示部１５には常に全てのマトリクスに彩色された状態となる図形を表示するように構成している。
ＩＤとして上記したような図形を用いて表示した場合には、収納ケース１０のＩＤ表示部１５を目視した際に読めるか否か、控えておいた収納ケースＩＤと一致しているか否かで判断が可能であり、大掛かりな機材等を用いることなく、判断が可能となる。
【００４２】
ここでは、全てのマトリクスに彩色された状態が正常を示しているが、不正行為を行う者により容易に偽造が可能となるため、彩色されないマトリクスを設けるように構成しても良い。
また、マトリクス数を増やすことで、多種のＩＤを設けることができる。
【００４３】
図５（ｃ）には、収納ケース１０に付与されるＩＤをバーコードとして表示するように構成している。
ＩＤとして上記したようなバーコードを用いて表示した場合には、収納ケース１０のＩＤ表示を一見して識別できないように構成することで、不正行為を行う者へＩＤ番号を分かり難くすることが可能となり偽造が困難となると共に、専用機器（リーダー）を用いることで点検時の確認作業も簡素化することが可能となり、目視による見間違いや勘違いなどの発生も防止することができる。
【００４４】
ここでは、バーコードという漠然とした記載をしているが、ＪＡＮ（ＥＡＮ）、ＣＯＤＥ３９（英数字に対応した誤読率が低いコード）、ＩＴＦ、ＮＷ−７（プリンタで印刷しやすいコード、ＣＯＤＥＢＡＲとも呼ばれる）、ＣＯＤＥ１２８（全てのＡＳＣＩＩコードを表すことができるコード）、ＣＯＤＥ９３（ＣＯＤＥ３９のバーコード長を短くする為に開発されたバーコードで、全てのＡＳＣＩＩコードを表すことができるコード）などの水平、垂直（横・縦）方向に情報を記録できる一次元バーコードなどいかなるバーコードでも問題ない。
【００４５】
また、一次元バーコードに限らず、ＣＯＤＥ４９、ＣＯＤＥ１６Ｋ（フルアスキー１２８キャラクタと拡張キャラクタを表現できるコード）、ＰＤＦ４１７（読み取り易さ、高いエラー訂正機能があるコード）などの従来のバーコードを積み重ねたような形のスタック型二次元バーコードや、データマトリックス（最も情報化密度が高いことからコード、データコードとも呼ばれる）、マキシコード（汚れ等の障害を最小限に抑えることができるコード）などの碁盤上に白と黒の点を並べたような形のマトリックス型二次元バーコードなどを用いても良く、ＩＤ表示部１５（印刷部１５ａ、１５ｂ）の面積や、ＩＤとして付与した内容、容量などに応じて適宜選択することが可能である。
【００４６】
ＩＤを図５（ａ）や図５（ｂ）のような目視で確認するものとした場合には、蓋部材１１と底部材１２とを組み付けた際の誤差が多少あっても、好適な組み合わせであるか否かは判断可能であるが、図５（ｃ）のようにコード化した場合には、その誤差により専用機器（リーダー）を用いても読み取ることができない場合があり、重合位置を確認するための目印はこのような場合に最大の効果を発揮する。
【００４７】
図５（ａ）、（ｂ）、（ｃ）に示したように、ＩＤ表示部１５の表示（印刷部１５ａ、１５ｂの表示）は様々あるが、単に表示のみをＩＤとせず、位置を変化させることによりＩＤの種類を増やすように構成しても良い。
その場合、ぱちんこ機であれば、機種毎に数mm程度、右又は左にずらしてＩＤ分割情報を印刷するように構成することで、ＩＤの情報量を増やすことなく、組み合わせ数を増やすことができる。
【００４８】
このように印刷位置を変化させることで、同一のＩＤ番号やＩＤコードを付与した収納ケースを２つ利用して、前記したような２つの収納ケースから１つの収納ケースを無傷で作り出しても、ＩＤ表示部１５に表示されるＩＤにズレが生じるために、収納ケースが開封されて他の収納ケースと組み合わせられたことを判断することができる。
【符号の説明】
【００４９】
１０    ：収納ケース      １１    ：蓋部材
１１ａ  ：爪受け          １１ｂ  ：挿入片
１１ｃ  ：シール貼付部    １１ｄ  ：シール貼付部
１２    ：底部材          １２ａ  ：係止爪
１２ｂ  ：挿入孔          １３    ：封止部材
１３ａ  ：蓋側封止部      １３ｂ  ：底側封止部
１３ｃ  ：係止部材        １４    ：補強封止部材
１４ａ  ：蓋側補強部材    １４ｂ  ：底側補強部材
１５    ：ＩＤ表示部      １５ａ  ：印刷部
１５ｂ  ：印刷部          １６    ：固定部
１６ａ  ：固定孔          １６ｂ  ：固定ピン
１７    ：主制御基板
【図１】
0005386689.tif 000002
【図２】
0005386689.tif 000003
【図３】
0005386689.tif 000004
【図４】
0005386689.tif 000005
【図５】
0005386689.tif 000006